(57)【要約】【課題】  挟んで捕獲することにより、捕獲者の自由な動きや反撃を阻止して、腕力の弱い者にも使用できる刺股の提供を目的とする。【解決手段】  筒体よりなる支柱の一端に設けた湾曲状の固定アームと、この固定アームと対をなし、常に閉じる方向に付勢されて回転可能に形成すると共に、この付勢力に抗して開いた状態を維持する可動アームとで捕獲挟みを形成した。  この捕獲挟みをその一端に設けた支柱の他端側に、前記可動アームを作動させる操作手段を設けることで刺股とした。  このような刺股によれば、開いた状態の捕獲挟みで、捕獲対象者をねらって押圧すると共に、操作手段により捕獲挟みを作動して挟むことにより、相手の体から刺股が離れないようにした。【選択図】        図１
2006308266.tif 000002
【特許請求の範囲】
【請求項１】
筒状の支柱と、
この支柱の一端に設けた湾曲状の固定アームと、この固定アームと対をなし常に閉じる方向に付勢されて回動可能に設けられると共に、この付勢力に抗して開いた状態を維持するように設定した可動アームとを有する捕獲挟みと、
この捕獲挟みを設けた前記支柱の他端側に設けられ、前記可動アームを作動する第１の操作体を備えた操作手段とからなる刺股。
【請求項２】
筒状の支柱と、
この支柱の一端に設けた湾曲状の固定アームと、この固定アームと対をなし常に閉じる方向に付勢されて回動可能に設けられると共に、この付勢力に抗して開いた状態を維持するように設定した可動アームとを有する捕獲挟みと、
この捕獲挟みを設けた前記支柱の他端側に設けられ、前記可動アームを作動する第１の操作体と、前記可動アームに対する付勢力を調整する第２の操作体とを備えた操作手段とからなる刺股。
【請求項３】
筒状の支柱と、
この支柱の一端に設けた湾曲状の固定アームと、この固定アームと対をなし常に閉じる方向に付勢されて回動可能に設けられると共に、この付勢力に抗して開いた状態を維持するように設定した可動アームとを有する捕獲挟みと、
この捕獲挟みに設けた前記可動アームの付勢力を調整可能に形成すると共に、この付勢力の強弱を判別可能にした第２の操作体を備えた操作手段とからなる刺股。
【発明の詳細な説明】
【技術分野】
【０００１】  本発明は、その先端部に設けた捕獲挟みが捕獲者から外れることなく、操作者が手を離しても、捕獲者の自由な動きを阻止するように改善した刺股に関する。
【背景技術】
【０００２】  刺股を形成するアームの一部が、可動するようにした従来例としては、Ｕ字形刺股の両先端部で、Ｕ字形の内方にのみ旋回可動するアームを設けたものがある。この可動アームは１対よりなり、Ｕ字形の開放端を塞ぐように対向配置している。
この１対の可動アームで捕獲対象者を押圧すると、可動アームがＵ字内に旋回可動して対象者をＵ字内に捕獲すると共に、可動アームは旋回によって押圧力が取り除かれて、元の位置へ復帰するものである。
すなわち、この可動アームは捕獲者を、Ｕ字内から逃げられないようにするためのものである。（例えば特許文献１参照）
また、他の従来例としては、長竿の先端部に設けた突出部で、捕獲対象者を押圧することにより、開いた状態の刺股が輪形に閉じて、その内側で捕獲するものもある。（例えば特許文献２参照）
【特許文献１】  実用新案登録第３０８５８２４号公報（第２頁、図３）
【特許文献２】  特開２０００−２３０８００号公報（第３頁、図２）
【発明の開示】
【発明が解決しようとする課題】
【０００３】  特許文献１に示す刺股は、捕獲者が入ったＵ字形内で、可動アームが復帰するための空間が必要であるから、捕獲者はＵ字形内で自由に動ける状態である。
従って、この刺股は、捕獲者と被捕獲者との間隔を保つだけのものであり、捕獲したとはいえども自由に動くことができて、反撃されやすい刺股である。
まして、力の強い相手であれば、１本の棒体よりなる柄を握っただけの被捕獲者よりも、Ｕ字を形成する２本のアーム部を保持できる捕獲者に、刺股を奪われてしまう恐れもあって、有効な捕獲道具ではなかった。
特許文献２に示す刺股形の捕獲道具も、捕獲対象者のいろいろな体格を考慮すると、直径の大きな輪形に形成しなければならなかった。その結果、輪形内で自由に動ける空間が生じてしまうので、特許文献１と同様の欠点を有するものであった。
すなわち、特許文献１及び特許文献２で示した従来例は、捕獲対象者を押圧することで、捕獲することができるという特徴はあるが、反撃されやすくて、腕力の弱いものが強いものに対応できる道具ではなかった。
また、これらの刺股は、捕獲者の胴体をねらって捕獲するものであり、先端部が大形になってしまうという欠点もあった。
本発明は、このような欠点を解消するためになされたものであり、先端部を小形化するために、腕や脚をねらって挟んだ状態で捕獲できると共に、腕力の弱い者にも使用できるようにした刺股の提供を目的とする。
【発明を解決するための手段】
【０００４】  上記不具合を解決するために、本発明は次のような構成としている。
請求項１に記載した刺股は、筒体よりなる支柱の一端に設けた湾曲状の固定アームと、この固定アームと対をなし、常に閉じる方向に付勢されて回動可能に形成すると共に、この付勢力に抗して、開いた状態を維持するように設定した可動アームとを有する捕獲挟みを設けた。
この捕獲挟みをその一端に設けた支柱の他端側には、前記可動アームを作動する第１の操作体を備えた操作手段を設けることで刺股とした。
このような刺股によれば、開いた状態の捕獲挟みで、捕獲対象者の脚などをねらって押圧すると共に、第１の操作体を作動させることにより、捕獲挟みで脚を挟みつけて、手を離したとしても、刺股が離れないようにしたものである。
請求項２に記載した刺股は、請求項１に記載した刺股に、捕獲挟みを形成する可動アームの付勢力を調整するために、第２の操作体を付加した操作手段を設けた。
このような刺股によれば、可動アームの付勢力を調整できるから、使用中にも増締めなどの操作が可能で、反撃を容易に阻止することができる。
請求項３に記載した刺股は、請求項２に記載した可動アームの付勢力に対して、その強弱を判別可能にして第２の操作体とした。
このような刺股によれば、可動アームの付勢力が判別できるから、捕獲者への対応が容易になる。
【発明の効果】
【０００５】  本発明によれば刺股の先端部で捕獲対象者を、挟みつけることができるようにしたことにより、以下の効果を得ることができた。
すなわち、捕獲挟みで挟むことによって、刺股が捕獲者から外れることがないので、操作者の手から刺股が離れたとしても、刺股と合体した捕獲者には邪魔になって、自由を奪われてしまうことになる。
脚などを挟んだ状態で、刺股の柄の先端を上下や左右方向などに動かすと、固定アームと可動アームとで、捕獲者に痛みを与えることもできて、あばれた場合の対応が容易であり、腕力の弱い者でも操作することができる。
更に、使用中でも付勢力を調整することが可能であるから、使用者の大きな味方となる。
胴を挟む刺股でも良いが、腕や脚などの細い部分を挟むことによって、先端部の捕獲挟みを小型、軽量化することができる。先端部が重いと、柄を保持する両手の間隔を広げる必要があり、捕獲者との間が近くなってしまう。そこで柄を長くして対応すると、更に重くなって操作も困難になる。
よって本願の刺股の如く、先端部を小型化できる刺股は非常に有効である等の効果が得られた。
【発明を実施するための最良の形態】
【０００６】  本発明について、図面を参照して説明する。図１は本発明の刺股を示す斜視図、図２は図１の一部を破断して示す分解斜視図である。
図１で示すように本発明の刺股１０は、支柱１２の一端に設けられて、捕獲対象者を挟んで捕まえる捕獲挟み２０と、この捕獲挟みを作動するために、支柱の他端側に設けた操作手段５０とからなる。
図２で示すように、捕獲挟み２０は、固定アーム２１と可動アーム４１とからなり、操作手段５０を操作すると、図１の点線で示すように可動アーム４１が、図中の矢印で示す方向に回転して挟むことができる。
更に、図面からも判明するように、固定アーム２１は２枚の同一形状よりなる板体を、互いに少し離間させて重ね合せたものであり、この間に可動アーム４１の一部が、挟み込まれるように回転することで、捕獲対象者を捕まえるように形成している。
また、操作手段５０は図２で示すように、捕獲挟み２０を作動させるための第１の操作体５１と、捕獲挟み２０の挟む力を調整するための第２の操作体６０とからなる。
このような刺股１０を構成する支柱１２と捕獲挟み２０、及び操作手段５０とについて、更に詳細に説明する。【０００７】  図３は図２で示した捕獲挟みを分解して示す斜視図、図４は図２で示した捕獲挟みの要部を示す一部分解斜視図である。
図３を参照して捕獲挟み２０を形成する固定アーム２１と可動アーム４１とについて説明する。
固定アーム２１は、アーム本体Ａ２２とアーム本体Ｂ３２との２枚からなる。アーム本体Ａ２２は、円柱突起よりなる回転軸２３を設けた板体の一部から、湾曲したアーム２４を延出すると共に、このアーム２４と対向する他端側には、前述した支柱１２に取付けるために孔２６付きの取付片２５を設けている。
アーム本体Ｂ３２は、アーム本体Ａ２２に設けた回転軸２３へ挿入する軸孔３３を設けた板体の一部から、アーム本体Ａ２２と同様に、湾曲したアーム３４を延出すると共に、このアーム３４と対向する他端側には、支柱１２に取付けるために孔３６付きの取付片３５を設けている。
また、アーム本体Ａのアーム２４には、可動アーム４１が、回転した場合のストッパとなる柱状突起３０を設けている。【０００８】  可動アーム４１は、アーム本体Ａ２２に設けた回転軸２３に取付けるための軸孔４３を設けた歯車４２と、この歯車の一端から延出して設けた湾曲状のアーム４４と、このアームの根本からアームとは逆方向に突出させた突出片４６とからなる。
この突出片４６に孔４７を設けて、第２の操作体６０に接続したワイヤを、取付けることができるもので詳細は後述する。
これらのアーム本体Ａ２２と可動アーム４１、及びアーム本体Ｂ３２とを組立てるには、アーム本体Ａ２２に設けた回転軸２３に、可動アーム４１に設けた軸孔４３を挿入するが、可動アーム４１の両側には、可動アームの回転をなめらかにするための、スペーサ４０を取付けている。スペーサ４０は磨耗が少なく滑りの良い材質であり、可動アーム４１と固定アーム２１との間隙を形成するものである。
更にこの状態からアーム本体Ｂ３２に設けた軸孔３３を挿入して、捕獲挟み２０の骨格を形成するものである。
このように組合せした可動アーム４１は、操作手段５０により作動させるものであるが、操作手段５０の一部は、捕獲挟み２０内に配設されており、これについて説明する。【０００９】  捕獲挟み２０の内部構造について説明する。
図４で示すように、アーム本体Ａ２２にスペーサ４０を介して可動アーム４１を取付ける。この可動アームの突出片４６には、第２の操作体６０に接続するワイヤを取付けると共に、ばねによって図中の矢印Ｆで示す方向に、常に付勢されることで可動アーム４１には、図中の矢印Ａで示す方向に閉じる力が付与されている。
可動アーム４１の閉じる力を阻止したり、閉じた状態を維持したりするように設定するのが、捕獲挟み２０内に設けた第１の操作体５１の一部であり、２種類のストッパからなる。すなわち、可動アームの閉じる動きを阻止する第１ストッパ７０と、可動アームが作動して閉じると共に、この閉じた状態を維持する第２ストッパ８０とである。
これらのストッパを作動させる２本のワイヤは、途中で一体化されて、図中の矢印Ｂで示す方向に引っ張られることで、可動アーム４１の作動が行われるものであり、これについては図５を参照して、更に詳細に説明する。【００１０】  図５は図４の組立を示す説明図、図６は図５の動作を示す説明図、図７は図６で示す可動アームのロック状態を示す説明図である。
図５で示すように組立てたアーム本体Ａ２２と可動アーム４１とは、アーム本体Ａ２２に設けた第１ストッパ７０と第２ストッパ８０とにより、閉じる方向に付勢された可動アーム４１を開いた状態に維持している。
第１ストッパ７０は、可動アーム４１の一端に設けた突出片４６に当接して、可動アーム４１の回転を阻止する回転体Ａ７１と、この回転体Ａを一方向に付勢するばね７６と、このばねの位置を位置決めする取付具７７とからなり、これらの部品は、ワイヤ７４を介して組立している。
この第１ストッパ７０を形成する回転体７１とばね７６、及び取付具７７などについて、更に詳細に説明する。
回転体Ａ７１は、断面がコ字形で、そのコ字形の開放端側を、互いに離間する方向に延出させた形状であり、コ字形の底面に設けた軸７２を中心として、その両端が回動するようにアーム本体Ａ２２に取付けている。
この回転体Ａ７１の一端側の側面には、アーム本体Ａ２２から柱状の突起７５を突出させており、この突起７５で回転体Ａ７１の一方の動きを阻止している。
よって、第１ストッパ７０を作動した場合に、回転体Ａ７１が図中の矢印で示すＣ方向に回転して、操作が完了すると柱状の突起７５に当接することで、元の位置に回転体Ａ７１が復帰するように設定している。
ばね７６は、コイル状のスプリングよりなり、取付具７７に位置決めされて、回転体Ａ７１の端部側面に当接して、回転体Ａ７１を図中の矢印Ｆで示す方向に、押圧するように付勢している。
取付具７７は、断面がＬ形の形状よりなり、アーム本体Ａ２２に固着されて、ばね７６の一端と当接するように配設している。
ワイヤ７４は、金属製の線条よりなり、回転体Ａ７１の端部に固着され、コイルスプリングの内部と取付具７７に設けた孔とを介して、前述した第１の操作体５１に接続している。
このように形成した第１ストッパ７０は、図５で示す図中の矢印Ｂ方向にワイヤ７４が引かれると、ばね７６が縮んで回転体Ａ７１側の一端も、軸７２を中心としてばねの縮む方向と同方向に回転する。従って、回転体Ａ７１の他端側は、図中の矢印Ｃで示す方向に回転することになる。
その結果図６で示すように、可動アーム４１に設けた突出片４６と、回転体Ａ７１との係止状態が解除されて、閉じる方向に付勢された可動アーム４１が、図６で示した矢印Ａ方向に回転する。【００１１】  図５及び図６で示すように第２ストッパ８０は、可動アーム４１に設けた歯車４２に当接する回転体Ｂ８１と、この回転体Ｂの回動を一方向に付勢するばね８６と、このばねの位置を位置決めする取付具８７とからなり、これらの部品はワイヤ８４を介して組立している。
この第２ストッパ８０を形成する回転体Ｂ８１とばね８６、及び取付具８７について説明する。
回転体Ｂ８１は、前述した軸を中心部に設けた回転体Ａ７１とは異なり、回転体Ｂの一端に設けた軸８２を中心として、時計の針の如く回転させて、アーム本体に設けている。
この回転体Ｂ８１の先端部側には、図６で示すように三角状の突起８３が設けられて、可動アーム４１に設けた歯車４２に噛み合うように形成している。
このような第２ストッパ８０も、前述したワイヤ７４と同様のワイヤ８４により、それぞれの部品が組み合されると共に、第１ストッパのワイヤ７４と一体化されて、第１の操作体５１に接続されるものである。【００１２】  このように構成した第１ストッパ７０は、図５で示すように可動アーム４１に設けた突出片７６に当接して、可動アームの閉じる方向を阻止している。
また、第２ストッパ８０も、同じく図５で示すように可動アーム４１に設けた歯車４２と噛み合って、可動アーム４１の閉じる方向を阻止している。要はこれらの２つのストッパにより、可動アーム４１が開いた状態を維持させているものであるが、第２ストッパ８０には、更にもう１つの作用を持たせており、これについて図７を参照して説明する。
詳細は後述するが、第１の操作体５１を形成するレバーを手で握って操作すると、第１ストッパ７０と第２ストッパ８０とが同時に作動して、図６で示すように可動アーム４１が閉じる方向に回転する。レバーを操作した後で手を離すと、レバーが復帰すると共に、第１ストッパと第２ストッパとに設けたばねの作用によって、それぞれの回転体Ａ及び回転体Ｂも元の位置に復帰する。図７は回転体Ｂ８１が復帰した状態を示しているものである。
可動アーム４１は、常に閉じる方向に付勢されており、可動アームに対して、第２ストッパを形成する回転体Ｂ８１が、図７で示すように当接する。可動アーム４１には歯車４２が設けられているから、閉じた状態の歯車に対して、回転体Ｂ８１に設けた三角状の突起８３が、噛み合うことになる。この状態は可動アーム４１の回転を阻止するように設定することになるものである。尚、この歯車４２はラチエット形であり、一方向の回転すなわち、可動アーム４１の開く方向の回転を阻止するように形成した歯車である。
換言すれば、常に閉じる方向に付勢力が与えられながら閉じた状態の可動アーム４１に対して、更に無理に開く方向に動かそうとしても、歯車４２と回転体Ｂ８１との噛み合いによって、開く方向の回転を更に阻止することができるものである。【００１３】  可動アーム４１は、常に閉じる方向に付勢されており、可動アームに設けた突出片４６から、ワイヤとばねとを介して第２の操作体６０に接続したことは、図４でも説明したがこの付勢力は、調整できるように設定されている。これについて図面を参照して、更に詳細に説明する。
図８は可動アームと第２の操作体との接続機構を示す説明図である。
可動アーム４１と第２の操作体６０とを接続する接続機構９０は、図８で示すように、可動アーム４１に設けた突出片４６に接続するワイヤ９１と、このワイヤと接合したコイル状のばね９２と、このばねと接続具を介して取付けた帯状の紐よりなる帯体９３とで形成している。
この帯体９３の一端に設けた接続部９８を、第２の操作体に接続して、図中の矢印方向に引くと、ばね９２が伸びて可動アーム４１の閉じる方向の付勢力が大きくなる。
また、この帯体９３の接続部９８側には、付勢力の強弱を示す標示９４を設けている。
この標示は色別や文字などを用いて示すが、図８の例では、ばね側から強９５、中９６、弱９７のように色別で標示９４しており、後述する支柱に設けた窓から、標示９４を判別しながら、第２の操作体６０で付勢力の増減を可能に設定している。  このように形成した接続機構９０を内蔵させる支柱１２について、図面を参照して説明する。【００１４】  図９は図１で示した支柱を一部破断して示す斜視図である。
支柱１２は筒体よりなり、その一端には捕獲挟み２０を取付ける取付孔１８が設けられ、図示しないネジやボルト及びナット等により固着する。
また、支柱の他端側には、図１で示した操作手段５０を取付けるための取付孔１５と取付孔１６とを、必要数に応じて設けており、捕獲挟み２０の取付と同様にネジ類を用いて固着する。これらの取付孔に隣接して窓１４を設けると共に、図８で示した帯体９３をこの窓から引出して、第２の操作体に取付けている。尚、この窓１４は帯体９３に設けた標示９４を確認するための窓でもある。
このように形成した支柱に取付けする操作手段５０について説明する。【００１５】  図１０は操作手段を示す斜視図、図１１は図１０で示す第１の操作体の操作部を示す分解斜視図である。
図１０で示すように本発明の操作手段５０は、捕獲挟み２０の可動アーム４１を、閉じる方向に操作する第１の操作体５１と、閉じた可動アーム４１の付勢力の強さを調整する第２の操作体６０とからなる。
第１の操作体５１は、支柱１２の端部に設けた枠５２と、この枠内に設けた操作用のレバー５５とからなる。枠５２の一部とレバー５５とを同時に握って、レバー５５を図中の矢印で示すＡ方向に動かすことで操作を行う。このレバー５５は握った手を離すことによって、レバーが元の位置へ復帰するように形成している。
このような枠５２とレバー５５との関係について、更に説明する。
図１１で示すように枠５２は、その一端に支柱１２へ挿入してネジ等によって固着する接続具５３と、この接続具から略三角形を形成する枠５２である。
この枠５２内には、レバー取付具５４を介して、その一端を回転可能に支持した棒状のレバー５５を配設している。このレバー５５には、図４で示した第１ストッパ７０と第２ストッパ８０とに接続すると共に、図１１の点線で示すようにワイヤを接続しており、レバーを握るとワイヤが引かれるように形成している。【００１６】  第２の操作体６０は市販の締付機よりなり、支柱１２の窓１４から引出した帯体９３の一端を締付機に接続して、図中の矢印で示すＢ方向に、把手６２を往復移動させることによって、図示しない内部の歯車を回転させて、帯体を増締めしたり緩めたりすることができる。
このような締付機の操作によって、前述したばね９２を伸縮させることができる。増締するとばね９２が伸びて、可動アーム４１の閉じる力を強め、逆に緩めるとばね９２が縮んで可動アームの閉じる力を弱くするものである。
この締付機の操作によって帯体が移動し、帯体に設けた標示９４が支柱１２に設けた窓１４から、確認できるように設定している。【００１７】  このように構成した刺股１０を使用するには、図１で示した刺股の支柱１２を一方の手で持ち、他方の手で操作手段５０を形成する枠５２とレバー５５とを握って、捕獲対象者に立ち向うものである。
開いた状態の捕獲挟み２０で、相手の脚をねらって脚に押し付けながら、レバー５５を握ると挟み付けることができる。同時にレバーから手を離すことにより、第２ストッパ８０が図７で示したようにロックして、挟んだ状態の可動アーム４１の開きを阻止する。
この状態で第２の操作体６０を操作して、可動アームの締付力を増減することもできるし、使用前に調整しておくことも可能である。この刺股１０は、図３で示したようにアーム２４に設けた柱状突起３０により、可動アーム４１の回転を止めて、挟んだ状態でも多少の間隔を有するように設定してあるので、怪我をさせるようなことはない。
また、脚を挟んだ状態で、支柱１２の操作手段５０側を動かすことによって、相手の脚に痛みを与えることができるので、反撃されるようなことも少ない。
尚、脚を挟んだ支柱は、左右方向や回転方向など、どの方向に動かしても相手に痛みを与えることができるのは、円弧状のアーム同士で挟んだ理由による。
このような操作は、力の弱い者でも容易にできるものであり、女性の使用にも有効である。
【図面の簡単な説明】
【００１８】
【図１】    本発明の刺股を示す斜視図である。
【図２】    図１の一部を破断して示す分解斜視図である。
【図３】    図２で示した捕獲挟みを分解して示す斜視図である。
【図４】    図２で示した捕獲挟みの要部を示す一部分解斜視図である。
【図５】    図４の組立を示す説明図である。
【図６】    図５の動作を説明する説明図である。
【図７】    図６で示す可動アームのロック状態を示す説明図である。
【図８】    可動アームと第２の操作体との接続機構を示す説明図である。
【図９】    図１で示した支柱を一部破断して示す斜視図である。
【図１０】    操作手段を示す斜視図である。
【図１１】    図１０で示す第１の操作体の操作部を示す分解斜視図である。
【符号の説明】
【００１９】１０  刺股
１２  支柱
１４  窓
２０  捕獲挟み
２１  固定アーム
４１  可動アーム
４２  歯車
５０  操作手段
５１  第１の操作体
５２  枠
５５  レバー
６０  第２の操作体
７０  第１ストッパ
８０  第２ストッパ
９３  帯体
９４  標示
【図１】
2006308266.tif 000003
【図２】
2006308266.tif 000004
【図３】
2006308266.tif 000005
【図４】
2006308266.tif 000006
【図５】
2006308266.tif 000007
【図６】
2006308266.tif 000008
【図７】
2006308266.tif 000009
【図８】
2006308266.tif 000010
【図９】
2006308266.tif 000011
【図１０】
2006308266.tif 000012
【図１１】
2006308266.tif 000013